(57)【要約】【課題】  本発明は、服装や所持品などの物品に対して過不足が無いかを確認できる情報処理システムを提供することを目的とする。【解決手段】  本発明の情報処理システムは、所定の情報を格納する電子タグが添付された物品（１）と、非接触タグから物品情報を読み取る読取手段（２）と、環境情報を収集する収集手段（９）と、前記読取装置から読み取られた物品情報と前記収集手段により収集された環境情報とを比較する比較手段と（９）、前記比較手段の比較結果に従い、携帯する物品に対して不足分が生じる場合、ユーザに対して注意を促す通知手段（５）と、を具備することを特徴とする。【選択図】図１
2005134991.tif 000002
【特許請求の範囲】
【請求項１】
所定の物品情報を格納する電子タグが添付された物品と、前記電子タグから物品情報を読み取る読取手段と、環境情報を収集する収集手段と、前記読取装置から読み取られた物品情報と前記収集手段により収集された環境情報とを比較する手段と、前記比較手段の比較結果に従い、携帯する物品に対して不足分が生じる場合、ユーザに対して注意を促す通知手段とを具備することを特徴とする情報処理システム。
【請求項２】
前記収集手段は、環境情報として、天候と気温の何れか一つを収集することを特徴とする特許請求項１記載の情報処理システム。
【請求項３】
前記読取手段は、物品情報として電子タグに格納されたタグ番号、品名、素材、形状の何れか一つを読み取ることを特徴とする特許請求項１記載の情報処理システム。
【請求項４】
所定の物品情報を格納する電子タグが添付された物品と、前記電子タグから物品情報を読み取る読取手段と、ユーザのスケジュール情報を格納する手段と、前記スケジュール情報に従い、外出先の環境情報を収集する収集手段と、前記読取装置から読み取られた物品情報と前記収集手段により収集された外出先の環境情報とを比較する手段と、前記比較手段の比較結果に従い、携帯する物品に対して不足分が生じる場合、ユーザに対して注意を促す通知手段とを具備することを特徴とする情報処理システム。
【請求項５】
前記収集手段は、環境情報として、天候と気温の何れか一つを収集することを特徴とする特許請求項４記載の情報処理システム。
【請求項６】
前記読取手段は、物品情報として電子タグに格納されたタグ番号、品名、素材、形状の何れか一つを読み取ることを特徴とする特許請求項４記載の情報処理システム。
【請求項７】
所定の物品情報を格納する電子タグが添付された物品と、前記物品を収納用具から取り出された際、前記電子タグから物品情報を読み取る読取手段と、前記スケジュール情報に従い、環境情報を収集する収集手段と、前記読取装置から読み取られた物品情報と前記収集手段により収集された外出先の環境情報とを比較する手段と、前記比較手段の比較結果に従い、携帯する物品に対して不足分が生じる場合、ユーザに対して注意を促す通知手段とを具備することを特徴とする情報処理システム。
【請求項８】
前記収集手段は、環境情報として、天候と気温の何れか一つを収集することを特徴とする特許請求項７記載の情報処理システム。
【請求項９】
前記読取手段は、物品情報として電子タグに格納されたタグ番号、品名、素材、形状の何れか一つを読み取ることを特徴とする特許請求項７記載の情報処理システム。
【発明の詳細な説明】
【技術分野】
【０００１】
本発明は、ユーザの外出時に携帯する服飾品や所持品などの物品の情報を読み取り、気温や天候などの環境状況に合った物品の携帯をユーザに提供する情報処理システムに関するものである。
【背景技術】
【０００２】
従来、個人の所有する服飾品の画像データ等を登録し、ユーザの操作に従って、各アイテムの画像データを組み合わされて表示し、個人が所有する服飾品の有効活用を支援するサービスシステムが考案されている。また、最近では、ネットワークを経由した遠隔地のサービスセンタが、個人の所有する服飾品に対して、服飾品の画像を含むアイテムデータをユーザから取得し、データベースに登録する。そして、サービスセンタは、利用者の行動に関する行動データや利用者の好みに関するデータも取得して当該データベースに登録する。利用者からの要求に応じて、当該データベースに登録されている利用者のデータと取得した気象データ等を参照して、利用者の服飾アイテムを組合わせて、その組み合わせ内容を示すコーディネート情報を作成し、利用者に提供するサービスシステムも考案されている（例えば、特許文献１参照）。
【０００３】
従来技術のサービスシステムでは、利用者が所有している服飾品などの物品と気象情報から利用者のコーディネートの提案を行う。しかしながら、サービスシステムは利用者が現在携帯している物品に対して、現在の気候条件に合っていないことを注意や警告として促すようなことは行われなかった。
【特許文献１】特開２００２−２１５７７０号公報（第６頁乃至８頁、第１図乃至第３図）
【発明の開示】
【発明が解決しようとする課題】
【０００４】
上記した従来技術では、利用者が携帯している服装や所持品などの物品に対して、気温や天候に合っていないと言う注意や警告を喚起していないので、利用者の物品に対して過不足が無いかを確認できないという問題があった。
【０００５】
そこで、本発明は上記の問題を解決するためになされたものであり、服装や所持品などの物品に対して過不足が無いかを確認できる情報処理システムを提供することを目的とする。
【課題を解決するための手段】
【０００６】
本発明の情報処理システムは、所定の物品情報を格納する電子タグが添付された物品と、電子タグから物品情報を読み取る読取手段と、環境情報を収集する収集手段と、読取装置から読み取られた物品情報と収集手段により収集された環境情報とを比較する手段と、比較手段の比較結果に従い、携帯する物品に対して不足分が生じる場合、ユーザに注意を促す通知手段とを具備することを特徴とする。
【０００７】
この様な構成により、ユーザが携帯する物品がＩＣタグリーダ付近を通過する際、ユーザは不足している物品の情報を知ることができるので、ユーザの外出時の利便性を向上することができる。
【０００８】
本発明の情報処理システムは、所定の物品情報を格納する電子タグが添付された物品と、電子タグから物品情報を読み取る読取手段と、ユーザのスケジュール情報を格納する手
段と、スケジュール情報に従い、外出先の環境情報を収集する収集手段と、読取装置から読み取られた物品情報と収集手段により収集された外出先の環境情報とを比較する手段と、比較手段の比較結果に従い、携帯する物品に対して不足分が生じる場合、ユーザに対して注意を促す通知手段とを具備することを特徴とする。
【０００９】
この様な構成により、ユーザが携帯する物品がＩＣタグリーダ付近を通過する際、ユーザの旅行先や通勤先等のスケジュール情報に従い、ユーザは不足している物品の情報を知ることができるので、ユーザの旅行先や通勤先時の利便性を向上することができる。
【００１０】
本発明の情報処理システムは、所定の物品情報を格納する電子タグが添付された物品と、物品を収納用具から取り出された際、電子タグから物品情報を読み取る読取手段と、スケジュール情報に従い、環境情報を収集する収集手段と、読取装置から読み取られた物品情報と収集手段により収集された外出先の環境情報とを比較する手段と、比較手段の比較結果に従い、携帯する物品に対して不足分が生じる場合、ユーザに対して注意を促す通知手段とを具備することを特徴とする。
【００１１】
この様な構成により、ユーザが収納用具からＩＣタグ付の物品を取り出す際、気温や天候などの環境状況にあわない物品の情報を知ることができるので、ユーザは外出時の利便性を向上することができる。
【発明の効果】
【００１２】
本発明によれば、外出時のユーザの服装や所持品に対して確認することができるようになり、外出時の利便性を向上することができる。
【発明を実施するための最良の形態】
【００１３】
以下、図面を参照しながら本発明の実施の形態について詳細に説明する。
【００１４】
図１は、本発明の一実施形態に係る情報処理システムの構成を示すシステムブロック図である。図２は、同実施形態に係るホームサーバの構成を示すシステムブロック図である。図３は、同実施形態に係るホームサーバ内の記憶部の構成を示すシステムブロック図である。図４は、同実施形態に係るユーザ通知用機器内の構成を示すシステムブロック図である。図５は、同実施形態に係るホームサーバ内の記憶部の所持品ＤＢを示す。図６は、同実施形態に係るホームサーバ内の記憶部のスケジュールＤＢを示す。
【００１５】
同実施形態に係る情報処理システムは、ＩＣタグ付き服飾品・所持品などの物品１、ＩＣタグリーダ２、ホームサーバ３、気温・天候情報提供装置４とユーザ通知用機器５から構成されている。
【００１６】
ＩＣタグ付き物品１は、タグ番号、物品の品名、素材、用途などの情報が格納されている非接触電子タグが付属する物品である。非接触電子タグとは、６４〜数百バイトのメモリなどのＩＣチップとアンテナから構成され、電波を用いて非接触でデータを認識することができる。更に、ＩＣタグの特徴は、情報の更新や追加が可能であり、複数固体の一括認識及び移動状態で認識可能であり、物を開封せずに確認可能な透過性も備えている。ＩＣタグには、ＩＣチップに格納されたタグ番号や物品の用途・素材情報等の物品情報を電波を用いて、ＩＣタグリーダ２に当該物品情報を送信することことができる。
【００１７】
ＩＣタグリーダ２は、ＩＣタグ付き物品１の情報を読み出し、アンテナ、ホームサーバ３への送信の機能を有する。ユーザは、通過する頻度の高い場所、例えば、部屋の扉や玄関にＩＣタグリーダ２を事前に設置し、ユーザが通過することによりＩＣタグ付き物品１ａの物品情報を収集し、ホームサーバ３に情報を送信する。または、ユーザが収納用具の
扉を開き、ＩＣタグ付き物品１ｂを取り出した時、ＩＣタグリーダ２は取り出された物品１ｂを検知し、ホームサーバ３にその物品情報を送信する。
【００１８】
ホームサーバ３は、図２に示される通り、記憶部７、通信部８、制御部９、入力部１０と表示部１１から構成されている。また、ホームサーバ３は、通信部８を介して、ＩＣタグリーダ２とユーザ通知用機器５に接続可能である。更に、ホームサーバ３は、ネットワーク６を介して、気温・天候情報提供装置４にも接続可能である。
【００１９】
ホームサーバ３の制御部９は、記憶部７のメモリ１６に記憶された本発明の一実施形態に係わる動作プログラムを実行し、ＩＣタグリーダ２からの物品情報の収集・整理処理、表示部１１やユーザ通知用機器５に対するデータの出力を行う。また、制御部９は、物品情報に関連した記憶部７の所持品ＤＢ１２やユーザのスケジュールＤＢ１３に、入力部１０を介してユーザが入力した所定のデータを書込みを行う。
【００２０】
ホームサーバ３の記憶部７は、所持品ＤＢ１２、スケジュールＤＢ１３とメモリ１６から構成されている。記憶部のメモリ１６は、制御部９が一時的にデータを処理するために格納したり、動作プログラムを有している。また、記憶部のメモリ１６は、通信部８を介してネットワーク６上に存在する気温・天候情報提供装置４から気温や天候などの環境情報の保存する。更には、記憶部７のメモリ１６には、ホームサーバ３の設置している現住所も記憶されている。
【００２１】
所持品ＤＢ１２は、ＩＣタグ番号毎に、所持品などの分類名、服飾品を着用するのに適した使用条件、服飾品や所持品などの用途・素材と、服飾品や所持品を所有する所有者の情報により構成されている。例えば、図５に示される通り、所持品ＤＢ１２のタグ番号「０００１」には、分類名「セータ」、使用条件として「気温：１０度以下、天候：雪又は晴れ」、用途・素材として「冬物カジュアル、ウール」、所有者として「お母さん」の情報を格納する。更に、タグ番号「０００７」には、分類名「切符」、使用条件として「−」、用途・素材として「伊東までの新幹線」、所有者として「お父さん」の情報を格納する。
【００２２】
スケジュールＤＢ１３は、年月日単位に構成されており、ホームサーバ３のユーザが、ユーザの出張先やイベントなどを希望日時に登録することができる。例えば、図６に示される通り、２００３年１０月２日には、お父さんが静岡県伊東までの２泊３日の出張がスケジュールＤＢ１３に登録されている。また、２００３年１０月５日には、お母さんが多摩でショッピングがスケジュールＤＢ１３に登録されている。更に、２００３年１０月８日には、お父さんが青梅で子供の運動会がスケジュールＤＢ１３に登録されている。
【００２３】
ホームサーバ３の通信部８は物品情報を送信するＩＣタグリーダ２やネットワーク６上に存在する気温・天候情報提供装置４との通信を実行する。
【００２４】
気温・天候情報提供装置４とは、ネットワーク６を介して接続され、ホームサーバ３の現住所を中心とした気温・天候やユーザの外出先、出張先やイベント場所の気温・天候などの環境情報を提供することができる。尚、気温・天候などの環境情報は、気温・天候情報提供装置４から提供されるもに限っていなく、例えば、ユーザが入力部１０を介して直接入力しても良い。
【００２５】
ユーザ通知用機器５は、モニター１４とスピーカー１５などから構成され、映像や音声等によって、ユーザに注意を促す機器である。尚、ユーザ通知用機器５は、ユーザが所有する携帯電話で代用しても良い。この場合、ユーザは、ホームサーバ３にユーザ通知用機器５として自己の携帯電話の番号を入力部１０を介して登録する必要がある。
【００２６】
次に、図１、図５と図７を参照して、本発明の一実施形態に係る情報処理システムの動作を説明する。
【００２７】
ユーザが、ＩＣタグ付物品１を携帯した状態でＩＣタグリーダ２が設置されているゲート場所、例えば、扉や玄関等などを通過する（Ｓ１００）。
【００２８】
ユーザがＩＣタグリーダ２ａを通過した際、ＩＣタグリーダ２ａはユーザが携帯している物品に含まれるＩＣタグの物品情報を読み取し、ホームサーバ３に送信する（Ｓ１２０）。
【００２９】
ホームサーバ３の通信部８はＩＣタグリーダ２ａから物品情報が送信されてきたか否か判断する。通信部８はＩＣタグリーダ２ａから物品情報が送信されてきたと判断した場合、その物品情報を受信する（Ｓ１３０）。ホームサーバ３の制御部９は、動作プログラムに従い、収集した物品情報をタグ番号毎に整理・分類し、記憶部７のメモリ１６に当該物品情報を格納する（Ｓ１４０）。
【００３０】
ホームサーバ３の制御部９は、動作プログラムに従い、通信部８を介してネットワーク６に接続された気温・天候情報提供装置４から環境情報を収集する命令を実行する。ホームサーバ３の通信部８は、ネットワーク６を経由して所定のＵＲＬにアドレスされた気温・天候情報提供装置４にアクセスし、気温・天候情報を収集し、制御部９に取得した環境情報を出力する（Ｓ１５０）。ホームサーバ３の制御部９は、通信部８から出力された環境情報を記憶部７の一時メモリに格納する。
【００３１】
ホームサーバ３の制御部９は、Ｓ１４０により格納された物品情報とＳ１５０により収集された環境情報により、ユーザが現在携帯している物品のタグ番号に関連する使用条件を環境情報と比較する（Ｓ１６０）。例えば、ここでの気温・天候情報提供装置４から提供された本日の天候情報は、雨とする。
【００３２】
ホームサーバ３の制御部９は、気温・天候情報提供装置４から提供された天気情報と使用条件との比較結果に従い、過不足がある場合、制御部９はユーザ通知用機器５のモニターやスピーカー等を介してユーザに携帯する物品に過不足があることを通知する（Ｓ１７０のＮｏ→Ｓ１８０）。
【００３３】
より具体的には、ホームサーバの制御部９は、気温・天候情報提供装置４から提供された天気情報：雨に従い、所持品ＤＢ１２から使用条件に合うタグ番号を選択する。選択されたタグ番号とユーザが現在所持しているＩＣタグ付き物品１のタグ番号を比較する。その結果、ホームサーバの制御部９は、タグ番号００８：長靴が不足していると判断し、ユーザに通知する。
【００３４】
また、ホームサーバの制御部９は、ユーザが現在携帯している物品として、ＩＣタグ番号０００３：レインコート、ＩＣタグ番号０００４：傘、ＩＣタグ番号０００５：ドレスとタグ番号００８：長靴であると判断した場合、気温・天候情報提供装置４から提供された天気情報：雨に従い、ユーザが携帯しているドレスに対して、注意を通知する。
【００３５】
又、更に、ホームサーバの制御部９は、ユーザが携帯している物品として、タグ番号０００３：レインコート、ＩＣタグ番号０００４：傘とＩＣタグ番号００８：長靴であると判断した場合、気温・天候情報提供装置４から提供された天気情報：雨に従い、ユーザが携帯している物品に対して、特に、注意を喚起しない（Ｓ１７０のＹｅｓ→Ｓ１８０）。
【００３６】
この様な構成にする事により、ユーザが外出時の服装、所持品に過不足がないかを確認できるようになり、利便性をより高めることができる。
【００３７】
尚、本発明の実施形態では、気温・天候提供情報４から提供された天候のデータと使用条件と比較していたが、此れに限らず、より正確に、気温・天候提供情報４から気温のデータも取得し、より使用条件に合った所持品をユーザに注意を促す事もできる。また、更に、気温・天候提供情報４から提供された天候のデータと使用条件と比較する際、所持品ＤＢ１２から複数の分類名が選択される場合が生じるが、この場合、ホームサーバの制御部９は気温・天候提供情報４から提供された気温のデータと使用条件と比較することで、ユーザに最適な所持品の提供を行うこともできる。
【００３８】
次に、図６、図８と図９を参照して、本発明の他の実施形態に係わる情報処理システムの動作を説明する。本発明の先の実施形態に於いては、気温・天候情報はユーザの住居などのある地域に限られた情報の為、ユーザが旅行や出張などの外出の場合、気温・天候の情報に差異が生じる。従って、本発明の実施形態では、更に、ユーザが外出する先の情報を取り入れるように機能を追加する。
【００３９】
ユーザは、ホームサーバの入力部１０から外出先、出張、日程などのデータを入力する（Ｓ２００）。ホームサーバの制御部９は、入力部１０から入力されたデータを記憶部７のスケジュールＤＢ１３に格納する。ユーザは、ＩＣタグ付物品１ａを携帯した状態でＩＣタグリーダ２ａが設置されている扉や玄関などを通過する（Ｓ２１０）。
【００４０】
ユーザがＩＣタグリーダ２ａを通過した際、ＩＣタグリーダ２ａはユーザが携帯している物品に含まれるＩＣタグの物品情報を読み取り、ホームサーバ３に送信する（Ｓ２２０）。ホームサーバ３の通信部８はＩＣタグリーダ２ａから物品情報が送信されてきたか否か判断する。通信部８はＩＣタグリーダ２ａから情報が送信されてきたと判断した場合、その物品情報を受信し、制御部９に出力する（Ｓ２３０）。ホームサーバ３の制御部９は、動作プログラムに従い、通信部８から出力された物品情報を整理・分類し、記憶部７の一時メモリに当該物品情報を格納する（Ｓ２４０）。
【００４１】
ホームサーバ３の制御部９は、動作プログラムに従い、記憶部のスケジュールＤＢ１３に格納された本日のスケジュールを確認し、通信部８にネットワーク６から外出先の環境情報を収集する命令を実行する（Ｓ２５０→Ｓ２６０）。より具体的には、スケジュールＤＢ１３の２００３年１０月２日には、２泊３日で、静岡県伊東へのお父さんの出張が登録されている。ホームサーバ３の通信部８は、ネットワーク６を経由して気温・天候情報提供装置４にアクセスし、本日の伊東の気温・天候情報を取得し、制御部９に出力する。ホームサーバ３の制御部９は、取得された気温・天候情報を記憶部７の一時メモリに格納する（Ｓ２７０）。
【００４２】
ユーザが、スケジュールＤＢ１３に外出の予定が入っていない場合、Ｓ２６０では、通信部８は、ネットワーク６を経由して気温・天候情報提供装置４にアクセスし、当地の本日の気温・天候情報を取得し、制御部９に出力する。尚、Ｓ２６０で、外出予定が複数日、週間、月間などにわたる場合、外出先の日数分の気温・天候の情報を入手し、ユーザが携帯する物品と比較することもできる。
【００４３】
ホームサーバ３の制御部９は、Ｓ２４０とＳ２７０により格納した物品情報と環境情報により、ユーザが携帯している物品を環境情報と比較する（Ｓ２８０）。より具体的には、制御部９は、気温・天候情報提供装置４から提供された本日の外出先の天候情報：雪と、ＩＣタグリーダ２から受信したユーザが現在携帯している物品のタグ番号００１：セータとタグ番号０００６：ジャケットの使用条件とを比較する。
【００４４】
ホームサーバ３の制御部９は、気温・天候情報提供装置４から提供された天気情報と物品の使用条件との比較結果に従い、過不足がある場合、制御部９はユーザ通知用機器５のモニターやスピーカー等を介してユーザが現在携帯している物品に過不足があることを通知する（Ｓ２９０のＮｏ→Ｓ３００）。
【００４５】
より具体的には、ホームサーバの制御部９は、気温・天候情報提供装置４から提供された天気情報：雪に従い、所持品ＤＢ１２から使用条件に合うタグ番号を選択する。選択されたタグ番号とユーザが現在携帯している物品１ａのタグ番号を比較する。その結果、ホームサーバの制御部９は、タグ番号０００４：傘とタグ番号００８：長靴が不足していると判断し、ユーザに不足している物品を通知する。又、ホームサーバの制御部９は、ユーザが現在携帯している物品１ａとして、ＩＣタグ番号０００２：半袖シャツ、ＩＣタグ番号０００４：傘、タグ番号００６：ジャケットとタグ番号８：長靴であると判断した場合、気温・天候情報提供装置４から提供された天気情報：雨に従い、ユーザが携帯している半袖シャツに対して、注意を通知する。
【００４６】
又、更に、ホームサーバの制御部９は、ユーザが現在携帯している物品１ａとして、ＩＣタグ番号０００４：傘、タグ番号００６：ジャケットとタグ番号８：長靴であると判断した場合、気温・天候情報提供装置４から提供された天気情報：雨に従い、ユーザが携帯している物品に対して、特に、注意を喚起しない（Ｓ２９０のＹｅｓ→Ｓ３００）。
【００４７】
この様な構成にするからこそ、ユーザの外出先の気温・天候などの環境情報についてもユーザの利便性を一層向上することができる。
【００４８】
尚、本発明の実施形態では、気温・天候提供情報４から提供された気温や天候などのデータと使用条件と比較していたが、スケジュールＤＢ１３にユーザが伊東への出張を登録しているので、ホームサーバ３はＩＣタグ２ａからタグ番号００７：切符のデータを収集できなかった場合、ユーザに所持品の不足分として、伊東までの切符を忘れていることを警告することも容易にできる。
【００４９】
また、本発明の実施形態では、所持品ＤＢ１２にタグ番号毎に所有者を割り振ることができ、スケジュールＤＢ１３にユーザの日程表にユーザ名を登録することにより、ＩＣタグリーダ２を通過するユーザが所持するＩＣタグ付き物品１ａに対して、所有者毎に所持品の過不足分を比較し、注意を喚起することもできる。
【００５０】
次に、図１、図８と図１０を参照して、本発明の別の実施形態に係わる情報処理システムの動作を説明する。同実施形態では、更に、ＩＣタグリード２ｂがユーザの所持品を保管する収納用具に設置されている。
【００５１】
ユーザが収納用具の扉を開き、ＩＣタグ付物品１ｂを取り出した時、ＩＣタグリード２ｂは取り出された物品１ｂを検知する（Ｓ４００）。ＩＣタグリーダ２ｂはユーザが所持している物品１ｂに含まれるＩＣタグの物品情報を読み取し、ホームサーバ３に送信する。
【００５２】
ホームサーバ３の通信部８はＩＣタグリーダ２ｂから物品情報が送信されてきたか否か判断する。通信部８はＩＣタグリーダ２ｂから物品情報が送信されてきたと判断した場合、その物品情報を受信する（Ｓ４１０）。ホームサーバ３の制御部９は、動作プログラムに従い、通信部８から受信した情報を整理・分類し、記憶部７の一時メモリ１６に当該物品情報を格納する（Ｓ４２０）。
【００５３】
ホームサーバ３の制御部９は、動作プログラムに従い、ネットワーク６から気温・天候情報を収集する命令を実行する（Ｓ４３０）。ホームサーバ３の通信部８は、ネットワーク６を経由して気温・天候情報提供装置４にアクセスし、環境情報を取得する。ホームサーバ３の制御部９は、取得された気温・天候情報を記憶部７の一時メモリ１６に格納する。
【００５４】
ホームサーバ３の制御部９は、受信した物品情報や収集・取得した環境情報により、ユーザが現在携帯している物品情報と気温・天候情報とを比較する（Ｓ４４０）。より具体的には、制御部９は、気温・天候情報提供装置４から提供された本日の環境情報と、物品情報に対応する所持品ＤＢ１２のＩＣタグ番号から使用条件とを比較する。
【００５５】
ホームサーバ３の制御部９は、気温・天候情報提供装置４から提供された環境情報と使用条件との比較結果に従い、過不足がある場合、制御部９はユーザ通知用機器５のモニターやスピーカー等を介してユーザに携帯する物品に過不足があることを通知する（Ｓ４５０のＮｏ→Ｓ４６０）。より具体的には、ホームサーバの制御部９は、気温・天候情報提供装置４から提供された天気情報に従い、所持品ＤＢ１２から使用条件に合うタグ番号を選択する。選択されたタグ番号とユーザが現在取り出したＩＣタグ付き物品１ｂのタグ番号を比較する。その結果、ホームサーバの制御部９は、過不足している物品をユーザに通知する。
【００５６】
又、制御部９は、ユーザが現在取り出したＩＣタグ付き物品１ｂが気温・天候情報提供装置４から提供された環境情報に従い、マッチしていると判断した場合、ユーザに対して注意を喚起しない（Ｓ４５０のＹｅｓ）。
【００５７】
この様な構成にする事により、ユーザが外出時の収納用具からも物品を取り出す時点で、ユーザが携帯する物品に過不足がないかを確認できるようになり、利便性をより高めることができる。
【００５８】
尚、本発明の別の実施形態では、ＩＣタグ付き物品１から物品情報を読み出すＩＣタグリーダ２に代えて、ＩＣタグリーダ・ライタを所定の場所に設置した場合、ホームサーバの制御部９は、ユーザの操作に従い、入力部１０を介して、ユーザが新規購入した物品や物品情報の更新の為、ＩＣタグに物品情報を書込み処理を実行することも可能となる。
【図面の簡単な説明】
【００５９】
【図１】本発明の一実施形態に係る情報処理システムの構成を示すシステムブロック図。
【図２】同実施形態に係るホームサーバの構成を示すシステムブロック図。
【図３】同実施形態に係るホームサーバ内の記憶部の構成を示すシステムブロック図
【図４】同実施形態に係るユーザ通知用機器内の構成を示すシステムブロック図。
【図５】同実施形態に係るホームサーバ内の記憶部の所持品ＤＢを示す図。
【図６】同実施形態に係るホームサーバ内の記憶部のスケジュールＤＢを示す図。
【図７】同実施形態に係る情報処理システムの動作を示すフローチャート。
【図８】本発明の別の実施形態に係る情報処理システムの動作を示すフローチャート。
【図９】同実施形態に係る情報処理システムの動作を示すフローチャート。
【図１０】本発明の他の実施形態に係る情報処理システムの動作を示すフローチャート。
【符号の説明】
【００６０】
１…ＩＣタグ付き物品、２…ＩＣタグリーダ、３…ホームサーバ
４…気温・天候情報提供装置、５…ユーザ通知用機器、６…ネットワーク
７…記憶部、８…通信部、９…制御部、１０…入力部、１１…表示部、
１２…所持品ＤＢ、１３…スケジュールＤＢ、１４…モニタ、１５…スピーカ
１６…メモリ
【図１】
2005134991.tif 000003
【図２】
2005134991.tif 000004
【図３】
2005134991.tif 000005
【図４】
2005134991.tif 000006
【図５】
2005134991.tif 000007
【図６】
2005134991.tif 000008
【図７】
2005134991.tif 000009
【図８】
2005134991.tif 000010
【図９】
2005134991.tif 000011
【図１０】
2005134991.tif 000012